(57)【要約】【課題】廃棄される機密レベルの低い機密文書に対し、機密情報流出のリスクを抑えながらも、簡易で安価な難読性の処理を施すことによって、リサイクル性の高い紙資源の排出する手段を提供する。【解決手段】廃棄する文書の画像を入力する画像入力手段３と、前記画像入力手段３により入力された画像に基づいて、前記廃棄する文書を束にしたときの文書束における所定の範囲を抽出するコマンドシート解析手段４と、前記コマンドシート解析手段４により抽出された前記所定の範囲に、所定のワークフローに従って処理を施してパッキングするパッキング手段として機能するステープル手段５と、を有することを特徴とする。【選択図】図１
2015085542.tif 000002
【特許請求の範囲】
【請求項１】
廃棄する文書の画像を入力する画像入力手段と、
前記画像入力手段により入力された画像に基づいて、前記廃棄する文書を束にしたときの文書束における所定の範囲を抽出する解析手段と、
前記解析手段により抽出された前記所定の範囲に、所定のワークフローに従って処理を施してパッキングするパッキング手段と、
を有することを特徴とする、画像処理装置。
【請求項２】
前記パッキング手段は、ステープル処理を用いて前記所定の範囲をパッキングすることを特徴とする、請求項１に記載の画像処理装置。
【請求項３】
前記パッキング手段は、前記所定の範囲に加圧して前記文書束を圧着させる処理を用いて前記所定の範囲をパッキングすることを特徴とする、請求項１又は２に記載の画像処理装置。
【請求項４】
前記パッキング手段は、前記所定の範囲に、圧着部分の紙繊維を湿潤させるための水若しくは当該目的の用をなす他の液体を噴霧若しくは塗布する処理を施してパッキングすることを特徴とする、請求項３に記載の画像処理装置。
【請求項５】
前記文書束の最も外側の面の少なくとも一方における前記所定の範囲に、所定のパターンの画像形成を行いマスキングをするマスキング手段を有することを特徴とする、請求項１から４のいずれか１項に記載の画像処理装置。
【請求項６】
前記所定の範囲に穿孔を施す穿孔手段を有することを特徴とする、請求項１から５のいずれか１項に記載の画像処理装置。
【請求項７】
前記解析手段は、エリアを指定するための所定のマーカにより前記廃棄する文書に記述されたコマンド情報に基づいて前記所定の範囲を抽出することを特徴とする、請求項１から６のいずれか１項に記載の画像処理装置。
【請求項８】
前記所定のワークフローとして実行する処理の指定を行う機能指定手段を有することを特徴とする、請求項１から７のいずれか１項に記載の画像処理装置。
【請求項９】
画像処理装置が実行する画像処理方法であって、
廃棄する文書の画像を入力する画像入力ステップと、
前記画像入力ステップにより入力された画像に基づいて、前記廃棄する文書を束にしたときの文書束における所定の範囲を抽出する解析ステップと、
前記解析ステップにより抽出された前記所定の範囲に、所定のワークフローに従って処理を施してパッキングするパッキングステップと、
を含むことを特徴とする、画像処理方法。
【請求項１０】
画像処理装置に、
廃棄する文書の画像を入力する画像入力処理と、
前記画像入力処理により入力された画像に基づいて、前記廃棄する文書を束にしたときの文書束における所定の範囲を抽出する解析処理と、
前記解析処理により抽出された前記所定の範囲に、所定のワークフローに従って処理を施してパッキングするパッキング処理と、
を実行させるためのプログラム。
【発明の詳細な説明】
【技術分野】
【０００１】
本発明は、画像処理装置、方法及びプログラムに関し、特に、機密情報を含む文書の廃棄における情報漏洩リスクへの対処と効率性やコストの両立を実現するための技術に関する。
【背景技術】
【０００２】
本発明は、画像形成システムに関し、詳細には例えば、デジタル孔版印刷装置等の印刷システムに適用される。本発明を説明するために開示する実施例においては、画像形成方式として、電子写真方式やインクジェット方式など作像エンジンを採用している。しかしながら、本発明に係る技術的思想は、複写機（ＰＰＣ）、複合機能プリンタ（ＭＦＰ）などの他の画像形成装置にも適用可能である。
【０００３】
孔版印刷装置やＰＰＣ、ＭＦＰなどの画像形成装置で使用される後処理装置には、パンチャーと呼ばれるファイリングのための穿孔を行うユニットあるいは装置が従来知られている。また、ステープラと呼ばれる綴じを行うためのユニットあるいは装置も従来知られている。
【０００４】
特許文献１は、パンチャーの一例であり、画像形成され搬送されてくる用紙に、ファイリングのためのパンチ孔を穿孔するための仕組みが示されている。特許文献２は、ステープラの一例であり、画像形成され搬送されてくる用紙を部ごとにまとめてステープル綴じをするための仕組みが示されている。
【０００５】
しかしながら、特許文献１に代表されるパンチャーは、あくまでファイリングのための穿孔を行うに過ぎず、その他の機能を担わされることはなかった。また、ステープラも後処理装置の１つのとしてよく知られているが、ひとまとまりの印刷成果物を部数ごとにステープル処理する、いわゆる綴じ以外の機能を負わされることはなかった。
【０００６】
一方、特許文献３では、機密文書の廃棄に際し、当該機密廃棄文書をランダムパターンにより塗潰し、機密情報の漏えいを抑止する仕組みが示されている。
【発明の概要】
【発明が解決しようとする課題】
【０００７】
しかしながら、特許文献３に代表される機密抑止手段は、基本的に印刷インキによる上塗りであるが、ほぼ印刷面全面に渡る広範囲に、かつ、毎葉で、上塗り処理を行うため、機密情報の漏えい防止に関してはその機能を果たすものの、毎葉処理によるスループットに問題があったり、上塗り用の色材を多量に消費するなどの廃棄コストに課題があった。
【０００８】
さらに、近年では、企業の機密情報漏えいに対しては厳しい批判にさらされる風潮から、さして重要とはいえないあるいはそれほど機密性が高くない文書であっても、慎重を期して廃棄の前に難読性を増すための処理などを施したり、機密保持契約などを結んだリサイクル業者に処理を委託することが多くなっている。
【０００９】
しかしながら、ほとんど一般文書に近い廃棄文書に対し、通常の機密文書廃棄並みの処理を施すことは、効率性やコストの点からも問題が多い。
【００１０】
本発明は、上記のような現状を鑑みてなされたものであり、廃棄される機密レベルの低い機密文書に対し、機密情報流出のリスクを抑えながらも、簡易で安価な難読性の処理を施すことによって、リサイクル性の高い紙資源の排出する手段を提供することを目的とする。
【課題を解決するための手段】
【００１１】
上記目的を達成する本発明に係る画像処理装置は、廃棄する文書の画像を入力する画像入力手段と、前記画像入力手段により入力された画像に基づいて、前記廃棄する文書を束にしたときの文書束における所定の範囲を抽出する解析手段と、前記解析手段により抽出された前記所定の範囲に、所定のワークフローに従って処理を施してパッキングするパッキング手段と、を有することを特徴とする。
【発明の効果】
【００１２】
本発明によれば、廃棄される機密レベルの低い機密文書に対し、機密情報流出のリスクを抑えながらも、簡易で安価な難読性の処理を施すことによって、リサイクル性の高い紙資源の排出する手段を提供することが可能となる。
【図面の簡単な説明】
【００１３】
【図１】第１の実施例に係る孔版印刷システムの構成を示すブロック図である。
【図２】（ａ）は、第１の実施例に係る孔版印刷システムが適用された孔版印刷装置の一例を示す概略図であり、（ｂ）は、（ａ）の操作パネルの平面図である。
【図３】第１の実施例に係る孔版印刷装置制御部のハードウェアとしての電装基板の構成の一例を示す概略図である。
【図４】第１の実施例に係る孔版印刷装置の動作時にタッチパネルに表示されるメニュー画面の例を示す図である。
【図５】第１の実施例に係る孔版印刷装置の動作時にタッチパネルに表示されるメニュー画面の例を示す図である。
【図６】第１の実施例に係る孔版印刷装置の動作時にタッチパネルに表示されるメニュー画面の例を示す図である。
【図７】第１の実施例に係るコマンドシートの例である。
【図８】第１の実施例に係るステープルパッキング処理を施される前の機密廃棄文書の例を表す図である。
【図９】第１の実施例に係る孔版印刷装置の動作時にタッチパネルに表示されるコマンドシート解析結果の例を示す図である。
【図１０】第１の実施例に係る孔版印刷装置の動作時に外装型電子ペーパーに表示される処理イメージの表示例を示す図である。
【図１１】第１の実施例に係る孔版印刷システムの動作を説明するための処理の流れ図である。
【図１２】（ａ）は、第１の実施例に係るステープルパッキング処理を施された後の機密廃棄文書束の表面の一例を示す概略図であり、（ｂ）は、裏面の一例を示す概略図である。
【図１３】第２の実施例に係る孔版印刷システムの構成を示すブロック図である。
【図１４】第２の実施例に係る孔版印刷システムが適用された孔版印刷装置の一例を示す概略図である。
【図１５】第２の実施例に係るコマンドシートの例である。
【図１６】（ａ）は、第２の実施例に係る接着パッキング処理を施された後の機密廃棄文書束の表面の一例を示す概略図であり、（ｂ）は、裏面の一例を示す概略図である。
【図１７】第３の実施例に係る孔版印刷システムの構成を示すブロック図である。
【図１８】第３の実施例に係る孔版印刷システムが適用された孔版印刷装置の一例を示す概略図である。
【図１９】第３の実施例に係るコマンドシートの例である。
【図２０】（ａ）は、第３の実施例に係る圧着パッキング処理を施された後の機密廃棄文書束の表面の一例を示す概略図であり、（ｂ）は、裏面の一例を示す概略図である。
【図２１】第４の実施例に係る孔版印刷システムの構成を示すブロック図である。
【図２２】第４の実施例に係る孔版印刷システムが適用された孔版印刷装置の一例を示す概略図である。
【図２３】第４の実施例に係るコマンドシートの例である。
【図２４】第４の実施例に係るパンチマスクを施される前の機密廃棄文書の例を表す図である。
【図２５】第４の実施例に係る孔版印刷装置の動作時にタッチパネルに表示されるコマンドシート解析結果の例を示す図である。
【図２６】第４の実施例に係る孔版印刷装置の動作時に外装型電子ペーパーに表示される処理イメージの表示例を示す図である。
【図２７】第４の実施例に係るパンチマスクを施された後の機密廃棄文書の例を表す図である。
【図２８】第５の実施例に係る孔版印刷システムの構成を示すブロック図である。
【図２９】第５の実施例に係るコマンドシートの例である。
【図３０】第５の実施例に係るパンチマスク処理と塗潰しマスク処理を併用して施された後の機密廃棄文書の例を表す図である。
【図３１】第６の実施例に係るコマンドシートの例である。
【図３２】第７の実施例に係るコマンドシートの例である。
【図３３】第７の実施例に係るパンチマスクと塗潰しマスクを重畳処理された後の機密廃棄文書の例を表す図である。
【発明を実施するための形態】
【００１４】
（第１の実施例）
本実施例の孔版印刷システム１は、図１に示すように、エリア指定手段２、画像入力手段３、コマンドシート解析手段４、ステープル手段５、ステープルパッキング処理機能指定手段６、マスキング手段７、コマンドシート解析結果表示手段１８、処理イメージ表示手段１９を有する構成である。以下、各手段をその実現手段の一例とともに説明する。なお、各手段の後の括弧内が実現手段の一例である。
【００１５】
エリア指定手段２（コマンドシート１５）は、孔版印刷装置が認識可能なマーカにより、指定エリア（領域）であることを示す少なくとも１個以上の囲み線や対角線等の線画及び必要に応じ当該指定エリア内に文字・記号等で記述されたコマンド情報、が記されたエリア指定シートと呼ばれるシート状媒体である。
【００１６】
画像入力手段３（読取りスキャナ１１０）は、前記コマンドシートとユーザの原稿を光学的に順次、走査することによりデジタル画像データを得る、いわゆるスキャナである。
コマンドシート解析手段４（孔版印刷装置の制御部２０）は、前記入力された画像データがコマンドシートの読取りデータであって、当該指定エリアの位置、サイズ等のデータを抽出するとともに、当該指定エリア内にパラメータなどの情報が存在する場合、当該コマンドシートの指定エリアに記述されたパラメータ情報を抽出・解析する。
【００１７】
ステープル手段５（ステープラ６０１）は、前記抽出・解析されたコマンドシート解析結果が、ステープルパッキング処理であった場合、予め定められた枚数毎にまとめられた機密廃棄文書に対し、前記コマンドシートにより指定された位置もしくは予め定められた封印位置に対し、無針のステープル処理もしくは紙針のような環境負荷の小さい針によるステープル処理を施して、第三者が当該パッキングされた内部の機密廃棄文書を容易に閲覧できないようにする。
【００１８】
ステープルパッキング処理機能指定手段６（タッチパネル１１５）は、前記コマンドシートを利用したステープルパッキング処理を行うか否かの設定、当該動作や関連した処理を行うために必要なパラメータやデータなどの各種設定、などの指定を行う。
【００１９】
マスキング手段７（印刷ドラム１０１）は、前記パッキングされる機密廃棄文書の最上面と最下面に位置する文書に対し、黒色インキなどの不透明性のインキでランダムなパターンなどによる塗り潰し処理を施し、第三者に当該パッキングされた機密廃棄文書の露出している面の文書を容易に開封閲覧できないようにする。
【００２０】
コマンドシート解析結果表示手段１８（タッチパネル１１５）は、前記抽出・解析されたコマンドシート解析結果を表示する。また、処理イメージ表示手段１９（電子ペーパー４００）は、前記抽出・解析されたコマンドシート解析結果に基づいて、当該指定処理が実行された時の処理イメージを表示する。
【００２１】
図２において、孔版印刷システム１を構成する孔版印刷装置１００の基本構成について説明する。
【００２２】
孔版印刷装置１００は、装置本体の内部に、マスタ１０７が外周面に巻着される印刷ドラム１０１と、印圧手段となるプレスローラ１０２と、製版装置となるプロッタ１０３と、排版手段１０４とを備え、装置本体の右側に配置された給紙手段１０５から給紙される記録紙１０６をプレスローラ１０２で印刷ドラム１０１に押し当てることで、巻着されたマスタ１０７の画像を記録紙１０６に転写し、片面印刷の場合、画像転写された記録紙１０６を搬送手段１０８で装置本体の左側に配置された排紙手段１０９へと搬送し、両面印刷の場合、片面の印刷が終了した記録紙を、切替え部材１２１により再給紙手段１２２に導き、再び給紙させることにより裏面に印刷を行うような周知の構成をとる。
【００２３】
さらに、当該孔版方式による画像形成経路中（用紙搬送経路中）には、インクジェットユニット１５０を配置している。装置本体の上部には、画像読取手段となる（カラー）スキャナ１１０が配置されていて、原稿画像を読取り、製版に用いる画像データを取得している。
【００２４】
装置本体の上部正面には、孔版印刷装置１００の操作部となる操作パネル１１１が配設されている。操作パネル１１１には、印刷や製版の切替えキー１１３、スタートキー１１４、表示部となる１１５、初期設定／プリンタ設定キー１１６、印刷位置調整キー１１７、プリントスピード設定キー１１８などが配備されている。表示部１１５は、ＬＣＤのタッチパネルで構成されていて、その画面には、各種案内情報や各種操作画面が適宜表示され、操作画面が、ユーザあるいは装置操作者によって操作されると、各画面に表示されたスイッチに対応した内容が制御部２０や孔版印刷装置１００に設定される。
【００２５】
装置本体内には、孔版印刷装置１００の各部を制御する制御部２０が配設されている。制御部２０は、図３に示すように、実装基板となるＡＣＵ２００（Application Control Unit）とＥＣＵ３００（Engine Control Unit）の二つに大きく分かれている。
【００２６】
ＡＣＵ２００は、各種インターフェースと、中央演算回路となるＣＰＵ２１６、記憶手段となるＲＡＭ２１７とＲＯＭ２１８が、ＡＳＩＣ２２０（Application Specific Integrated Circuit）に接続されている。各種インターフェースとしては、操作パネル用インターフェース２０５、ＳＤカードインターフェース２０６（ＳＤカードは登録商標）、ＵＳＢインターフェース２０９、ハードディスク（以下「ＨＤＤ」などと称す）インターフェース２０８、ＮＩＣインターフェース２１２、無線ＬＡＮインターフェース２１４、Ｉ／Ｏインターフェース２２１、ＦＡＸインターフェース２２２、ＥＣＵインターフェース２１５がある。
【００２７】
操作パネル用インターフェース２０５には、孔版印刷装置の操作パネル（タッチパネル）１１１が接続される。ＳＤカードインターフェース２０６は、携帯型大容量記憶メディアであるＳＤメモリーカード２０１（ＳＤメモリーカードは登録商標）が接続されるインターフェースである。ＵＳＢインターフェース２０９は、同じく携帯型大容量記憶メディアであるＵＳＢメモリ２０３などが接続されるインターフェースである。
【００２８】
ＨＤＤインターフェース２０８は、大容量記憶装置となるハードディスク（以下「ＨＤＤ」などと称す）２０７が接続される。ＮＩＣインターフェース２１２、無線ＬＡＮインターフェース２１４は、パソコンなどの情報端末に対し、ＬＡＮやインターネットなどのネットワークを介してアクセスするためのネットワークインターフェースカード（ＮＩＣ）２０２や無縁ＬＡＮカード２１３を接続するための通信インターフェースである。Ｉ／Ｏインターフェース２２１は、無給電画像表示装置である電子ペーパー４００を接続するためのインターフェースである。ＦＡＸインターフェース２２２は、ＦＡＸモジュールを接続するためのインターフェースである。ＥＣＵインターフェース２１５には、ＥＣＵ３００側が接続される。
【００２９】
ＡＣＵ２００は、孔版印刷装置の製版／蓄積の制御等を行い、スキャナあるいはネットワーク経由で転送されてくる文書を蓄積文書としてＨＤＤに蓄積したり、スキャナあるいはＨＤＤに蓄積された蓄積文書あるいはネットワーク経由で転送された文書データから、最終的に製版データを作成したのち、ＥＣＵ３００に転送するという働きを受け持ち、本発明の機能は、主にこのＡＣＵ２００に属する。
【００３０】
ＥＣＵ３００は、中央演算回路となるＣＰＵ３２１、記憶手段となるＲＡＭ３２２とＲＯＭ３２３、ＡＣＵ２００が有するＥＣＵインターフェース２１５と接続されるＡＣＵインターフェース３２４、スキャナ１１０が接続されるスキャナインターフェース３２６、画像の像域分離や各種画像補正を行うＩＰＰ（Image Pre-Processor）３２５、プロッタ１０３が接続されるプロッタインターフェース３２８、インクジェットユニット１５０が接続されるインクジェットインターフェース１５１、がそれぞれＡＳＩＣ３２９に接続されている。
【００３１】
ＥＣＵ３００は、ＡＣＵ２００により作成された製版データをもとに、プロッタ１０３により、周知の孔版原紙となるマスタの感熱孔版フィルム１１９に、熱的プロセスによって穿孔を行うことにより、製版済みのマスタを作成し、この製版済みのマスタ１０７を印刷ドラム１０１となる版胴の外周面に巻装し、ドラム内部に設置されたインキパック１２０から、インキを供給しながら印刷ドラム１０１を回転させ、それに呼応させるように記録紙（印刷用紙）１０６を給紙することにより印刷成果物（印刷物）を得る、という一連のデジタル式の孔版印刷装置の製版から印刷に至る動作全般を制御するとともに、ＡＣＵ２００により作成された画像データを、インクジェットモジュールに送り込み、孔版方式による画像形成と呼応させながら、インクジェット方式による画像形成をなすように制御するものである。
【００３２】
尚、当該ハイブリッド孔版印刷装置を構成するインクジェットユニットは、主走査方向長の画像形成領域を１つのインクジェットヘッドでカバーでき、ヘッドが固定された、いわゆるフルライン型ヘッドであっても、インクジェットヘッド長が主走査方向長よりも短く、当該ヘッドを主走査方向に走査することにより、主走査方向の画像形成を行う、いわゆるシャトル型ヘッドであっても、どちらでもかまわない。
【００３３】
また、当該孔版印刷装置１００には、排紙側に、ステープラユニットを内蔵した後処理装置がカスケードに接続されている。接続は、印刷用紙の搬送をスムーズに行うための機械的な接続のみならず、電気的な接続も行われており、孔版印刷装置本体からの指示や設定、後処理装置からの通知、などをやり取りできるようになっている。ステープラユニットは、主走査方向に可動であり、かつ、主走査方向の任意の位置にステープル処理が可能であり、これを副走査方向に２つ並べたものがセットされている。
【００３４】
本実施例の後処理装置にセットされるステープラユニットは、金属針で文書を綴じる通常のタイプではなく、無針あるいは紙針などの紙のリサイクルに適したものがセットされる。後者のタイプは、綴じる紙の枚数において前者に劣るが、金属針を使わないので、環境負荷が軽いというメリットがある。
【００３５】
そして、孔版印刷装置本体のタッチパネルにおいて、図４〜図６に示されるようなステープルパッキング処理機能に関する各種設定が予めなされているものとする。より詳しく説明すると、例として、図４のようなメインメニューから、「編集」項目を選択することにより、図５に示される各種編集機能を設定するためのサブメニューが表示される。
【００３６】
ここにおいて、「ワークフロー」の仮想ボタンを選択すると、図６に示されるサブメニューが、さらに表示される。ワークフロー処理においては、「エリア指定方法」として“囲み線”を使用し、マーカには“モノクロマーカ”を使用する指定を行っている。
【００３７】
尚、ワークフローとは、孔版印刷システムの設定や動作の一連の流れをコマンドシートによって指定できるものであり、ステープルパッキング処理機能もワークフローの処理形態で実現化されている。
【００３８】
以上のような設定がなされた孔版印刷システムの制御について、説明図（図４ないし図１０）や流れ図（図１１）を使用して説明する。
【００３９】
操作者によって、当該孔版印刷システムの固定原稿台もしくは自動原稿送り装置（Auto  Document  Feeder：ＡＤＦ）に、コマンドシートと原稿がセットされた後、製版スタートキーが押下されると（図１１、ＳＴ１）、まず最初にコマンドシートが読取られる（ＳＴ２）。これにより、制御部は、マーカ指定エリアの位置やエリアサイズのデータを抽出するとともに、さらに、当該指定エリア内に命令、識別コード又は指定項目等を意図した文字が記述されている場合、当該記載された文字をＯＣＲ（Optical  Character  Reader）などによってテキストデータ化し、マーカ指定エリア情報を抽出する（ＳＴ３）。
【００４０】
その後、制御部は、当該指定エリアに記述された文字の意味を解析しする（ＳＴ４）。本実施例では、図７に示すように、後処理装置としてステープラの使用記述がなされているため（ＳＴ５）、当該孔版印刷システムにおいて、それらの装置が使用可能かどうかの接続装置情報の取得や抽出情報により指定された設定や処理（機能）を遂行できるかどうかの整合を図る（ＳＴ６）。
【００４１】
本実施例では、処理に必要な後処理装置が必要十分で接続されているので、整合上何ら問題を生じないと判断されているため、図９に示すような解析結果の表示には、コマンドシートで指定された内容のものがそのまま表示される（ＳＴ７）。さらにその処理がなされた場合の処理イメージが表示手段、本実施例では外装型電子ペーパーに表示され（ＳＴ８、図１０の４００Ａ）、ユーザの確認入力を促している（ＳＴ９）。
【００４２】
しかしながら、コマンドシートに、当該孔版印刷装置に接続されていないかその接続を確認できない前処理装置／後処理装置についての記述がある場合、警告や無効の旨のメッセージあるいは解析結果が表示される。逆に、当該ワークフローに必要のない前処理装置／後処理装置、例えば、紙折り装置が、ステープルユニットの前に位置して、当該孔版印刷装置に接続されている場合でも、当該紙折り装置が用紙のスルー機能を持っており、当該ワークフローの遂行に影響を与えないような場合、何のメッセージも表示しないが、用紙のスルー機能を持っていないタイプの紙折り装置が接続されており、それが障害となってワークフロー処理、本実施例ではステープルパッキング処理、を完遂できないような場合、後処理装置の構成変更を促すような図示しない警告メッセージが表示される。
【００４３】
さて、図７に示されるコマンドシートには、６つの指定エリアがマーカで記入されているが、指定エリア内に記述されている“ＷＦ”は、当該指定エリアがワークフロー処理用であることを示し、続く項目の“設定”や“処理”は、孔版印刷システムへの設定なのか孔版印刷システムによる処理（動作）なのかを示している。さらに、孔版印刷システムへの設定の場合、さらにどのような設定を行うかをパラメータ指定している。
【００４４】
また、本実施例では、ｏｒｄｅｒ属性で指定されている番号により順番付けがなされていき、その順番でワークフローが実行されていく。これは、エリア指定の位置的な記述の自由度を確保するためである。
【００４５】
図７で示されるようなコマンドシートは、図８に示されるような機密廃棄文書に対して、無針のステープルパッキング処理をするというワークフロー処理を示している。このとき、「位置」属性で“エリア”としているが、これは、当該エリア指定された位置にステープル処理を施すという意味である。本実施例では、機密廃棄文書の四隅にステープル処理を施すよう指定している。
【００４６】
尚、ステープル処理を施す位置を指定する手段として、このほかに、エリアの左上の座標とエリアサイズなどの数値で指定する方法や“左上”や“右下”などと指定する方法もあるが、記述性や基準のわかりやすさ（ポートレート画像に対して左上なのかランドスケープ画像に対して左上なのか等）に難点があるため、本実施例では採用していない。
【００４７】
また、バック数を５枚で指定しているが、これは機密廃棄文書を５枚ずつ綴じることを意味している。尚、ワークフロー処理の場合、指定エリア外については、何が記載されていても無視されるので、メモや備忘録として使用することも可能であるので、当該コマンドシートを再利用をする際には、より効率的に行うことができる。
【００４８】
コマンドシートを解析された結果は、当該孔版印刷システムのタッチパネル上に、例えば図９に示すような表示がなされるので、ユーザは解析された結果が、目的とするワークフロー処理となっているかどうかを確認することができる。
【００４９】
さらに、図１０の４００Ａに示すように、外装型電子ペーパーにワークフロー、本実施例では、ステープルパッキング処理が実施された時の処理イメージが表示されるので、ユーザは、コマンドシートで指定された処理を行わせることにより、機密廃棄文書がどのような結果／状態になるかを容易に想像／確認することができる。
【００５０】
尚、本実施例の処理イメージの結果表示においては、機密廃棄文書をスキャンして読み出すわけではないので、機密廃棄文書は無地となっており、用紙枠とステープルマークだけが表示されたものになっているが、ダミーの画像を追加表示するなどして、よりわかりやすい表示となるようにしてもよい。
【００５１】
また、本実施例では、ステープルパッキング処理が実施された時の処理イメージ表示を、外装型電子ペーパーによって行っているが、タブレット型端末やスレート型端末とよばれるもので行ってもよく、本実施例に限定されるものではない。
【００５２】
制御部は、解析し表示した結果（ワークフロー処理手順）や処理イメージに対し、ユーザがＯＫの入力をした場合（ＳＴ９、ＳＴ１０）、ワークフローのリスト、即ち、設定や処理の実行手順をまとめたリストを生成する（ＳＴ１１）。
【００５３】
その後、生成したワークフローリストから実行すべきワークアイテム（処理または実行の単位）を取出し（ＳＴ１２）、取り出したワークアイテムが設定アイテムであれば（ＳＴ１３）、当該設定項目を当該孔版印刷装置／前処理装置／後処理装置の関連設定項目へ反映させ（ＳＴ１４）、処理アイテムであれば（ＳＴ１３）、当該アイテムを実行する（ＳＴ１５）。そして、これらの動作を、エントリされているワークアイテムがすべてなくなるまで実行していく（ＳＴ１６）。
【００５４】
このようにして処理された機密廃棄文書の例を図１２に示す。コマンドシートのエリアで指定された部分、本実施例では、５枚毎に綴られた機密廃棄文書の四隅部分がステープル処理されているので、容易に中の３枚の文書を閲覧することが困難になっていることがわかる。さらに、パッキングされた廃棄文書束において露出している部分（表面：同図（ａ）と裏面：同図（ｂ）には、ランダムドットによるマスキングが黒インキによって形成されるので、第三者が直接目に触れるような部分についても、容易に機密廃棄文書の中身が判別できないようになっている。
【００５５】
尚、本実施例では、機密廃棄文書束において露出している部分のみマスキング処理しているが、これはスループットを優先して確保しているためであり、機密性を優先する場合、すべての面についてマスキング処理を施すような実装にしても、あるいは、どちらを優先させるかを選択できるようにしても構わない。
【００５６】
また、本実施例では、ハイブリッド型の孔版印刷システムを採用しているため、マスキング処理を、インクジェットユニットに行わせることも可能であるが、これについても、スループットが犠牲になることから、本実施例では採用していない。
【００５７】
このような仕組みを採用することにより、機密廃棄文書に対し、適切な機密漏えい対策を施すことができる。
【００５８】
ちなみに、一般的な製本の綴じの１つにくるみ綴じがある。これは、印刷された用紙を束ねて、背に糊付けし、表紙用の用紙と接着するものである。このようなくるみ綴じができるユニットを内蔵した後処理装置を孔版印刷装置に接続し、当該機密文書を処理する方法も応用として考えられるが、廃棄文書のために、新たに表紙用の用紙を消費したり、わざわざ製本の状態にすることは、デメリットの方が大きいので、本実施例では採用していない。
【００５９】
（第２の実施例）
次に、第２の実施例を説明する。なお、上記実施例と同一または同様の部分は同一符号で示し、特に必要がない限り既に説明した構成上及び機能上の説明は省略して、要部のみ説明する（以下の他の実施例において同じである）。
【００６０】
本実施例の孔版印刷システムは、図１３のブロック図及び図１４の孔版印刷装置例に示すように、孔版印刷装置が認識可能なマーカにより、指定エリア（領域）であることを示す少なくとも１個以上の囲み線や対角線等の線画及び必要に応じ当該指定エリア内に文字・記号等で記述されたコマンド情報、が記されたエリア指定シートと呼ばれるシート状媒体であるエリア指定手段２（コマンドシート１５）と、前記コマンドシートとユーザの原稿を光学的に順次、走査することによりデジタル画像データを得る、いわゆるスキャナと呼ばれる画像入力手段３（読取りスキャナ１１０）と、前記入力された画像データがコマンドシートの読取りデータであって、当該指定エリアの位置、サイズ等のデータを抽出するとともに、当該指定エリア内にコマンドやパラメータなどの情報が存在する場合、当該コマンドシートの指定エリアに記述されたパラメータ情報を抽出・解析するコマンドシート解析手段４（孔版印刷装置の制御部２０）と、前記抽出・解析されたコマンドシート解析結果が、接着パッキング処理であった場合、予め定められた枚数毎にまとめられた機密廃棄文書に対し、前記コマンドシートにより指定された位置もしくは予め定められた封印位置に対し、接着剤を噴霧もしくは塗布する接着処理を施す接着手段９（インクジェットユニット１５０）と、機密廃棄文書束の、前記接着手段により接着剤が噴霧もしくは塗布された部分を加圧して密着させ、第三者が当該パッキングされた内部の機密廃棄文書を容易に開封閲覧できないようにする加圧（プレス）手段１０（加圧（プレス）機６０２）と、前記コマンドシートを利用した接着パッキング処理を行うか否かの設定、当該動作や関連した処理を行うために必要なパラメータやデータなどの各種設定、などの指定を行う接着パッキング処理機能指定手段１１（タッチパネル１１５）と、前記パッキングされる機密廃棄文書の最上面と最下面に位置する文書に対し、黒色インキなどの不透明性のインキでランダムなパターンなどによる塗り潰し処理を施し、第三者に当該パッキングされた機密廃棄文書の露出している面の文書を容易に開封閲覧できないようにするマスキング手段７（印刷ドラム１０１）と、から構成されている（注：カッコ内は実現手段）。
【００６１】
本実施例における孔版印刷装置のタッチパネル上の設定やワークフロー処理、使用する機密廃棄文書、パックされた機密廃棄文書の露出面へのマスキング処理などについては、前述の第１の実施例とほぼ同様であるため、本実施例での説明を省略する。
【００６２】
図１５で示したコマンドシートは、機密廃棄文書に対して、接着パッキング処理をするというワークフロー処理を示している。「位置」属性で“エリア”としている部分は、当該エリア指定された位置に接着剤を噴霧または塗布する処理を施すという意味である。本実施例では、機密廃棄文書の四隅に接着処理を施すよう指定している。また、本実施例では、インクジェットユニットのインクパックに接着剤が含有されたものをセットし、これを色材がわりに噴霧している。
【００６３】
さらに、ただ機密廃棄文書に接着剤を噴霧して排紙台に排紙し、排紙後に積載される用紙の自重だけよる加圧では、接着の効果がほとんどでないか薄いので、後処理装置である加圧（プレス）機によって意図的に加圧することによってより密着させるようにしている。
【００６４】
このようにして処理された機密廃棄文書の束の例を図１６に示す。コマンドシートのエリアで指定された部分、本実施例では、５枚毎に綴られた文書の四隅部分が接着処理されているので、容易に中の３枚の文書を閲覧することが困難になっていることがわかる。さらに、パッキングされた廃棄文書束において露出している部分（表面：同図（ａ）と裏面：同図（ｂ）には、ランダムドットによるマスキングが黒インキによって形成されるので、第三者に直接目に触れる部分も、容易に廃棄文書の中身が判別できないようになっている。
【００６５】
さらに、このように接着性インキによって糊付けされた機密廃棄文書を、無理に分離しようとすると、接着部分に破れや剥がれを生じるため、さらに可読性が著しく低下したものとなることがあるので、結果として、さらに機密の漏えいを抑止する効果も期待できる。
【００６６】
尚、本実施例では、インクジェットのカートリッジに１成分系の接着剤を装填して使用しているが、２成分接着剤を別々のカートリッジに充填し、用紙に同時に吹付けることによって接着効果を生むような利用も容易に考えられる。
【００６７】
また、接着剤として、感圧接着剤などを採用し、加圧（プレス）処理によって接着効果を発現するような方式を採用するようにしてもよい。
【００６８】
さらに、本発明では、孔版印刷方式あるいはインクジェット印刷方式に置いて、インキ／インクという色材のかわりに接着剤を使用するという考え方を採っているが、電子写真方式においても同様に、トナーに接着性という機能を持たせた機能性トナーを採用すれば、本発明と同じような処理・効果を得ることができる。
【００６９】
（第３の実施例）
次に、第３の実施例を説明する。
【００７０】
本実施例の孔版印刷システムは、図１７のブロック図及び図１８の孔版印刷装置例に示すように、孔版印刷装置が認識可能なマーカにより、指定エリア（領域）であることを示す少なくとも１個以上の囲み線や対角線等の線画及び必要に応じ当該指定エリア内に文字・記号等で記述されたコマンド情報、が記されたエリア指定シートと呼ばれるシート状媒体であるエリア指定手段２（コマンドシート１５）と、前記コマンドシートとユーザの原稿を光学的に順次、走査することによりデジタル画像データを得る、いわゆるスキャナと呼ばれる画像入力手段３（読取りスキャナ１１０）と、前記入力された画像データがコマンドシートの読取りデータであって、当該指定エリアの位置、サイズ等のデータを抽出するとともに、当該指定エリア内にコマンドやパラメータなどの情報が存在する場合、当該コマンドシートの指定エリアに記述されたパラメータ情報を抽出・解析するコマンドシート解析手段４（孔版印刷装置の制御部２０）と、前記抽出・解析されたコマンドシート解析結果が、圧着パッキング処理であった場合、予め定められた枚数毎にまとめられた機密廃棄文書に対し、前記コマンドシートにより指定された位置もしくは予め定められた封印位置に対し、圧着による接着処理を施して、第三者が当該パッキングされた内部の機密廃棄文書を容易に開封閲覧できないようにする圧着手段１２（圧着機６０３）と、前記圧着パッキング処理を施す前に、予め当該圧着部分の紙繊維を湿潤させるための水もしくは当該目的の用をなす他の液体を、噴霧もしくは塗布する処理を施して、より密着強度の高い圧着を行わせる湿潤手段１３（インクジェットユニット１５０）と、前記コマンドシートを利用した圧着パッキング処理を行うか否かの設定、当該動作や関連した処理を行うために必要なパラメータやデータなどの各種設定、などの指定を行う圧着パッキング処理機能指定手段１４（タッチパネル１１５）と、から構成されている（注：カッコ内は実現手段）。
【００７１】
本実施例における孔版印刷装置のタッチパネル上の設定やワークフロー処理、使用する機密廃棄文書、パックされた機密廃棄文書の露出面へのマスキング処理などについては、前述の第１の実施例とほぼ同様なので、本実施例での説明は省略する。
【００７２】
図１９で示したコマンドシートは、機密廃棄文書に対して、圧着パッキング処理をするというワークフロー処理を示している。「位置」属性で“エリア”としている部分は、当該エリア指定された位置において、圧着処理を施すという意味である。本実施例では、機密廃棄文書の四隅に圧着処理を施すよう指定している。
【００７３】
また、本実施例では、インクジェットユニットのインクパックに水もしくは紙繊維を湿潤させる成分が配合されたものをセットし、当該圧着処理に先立ち、当該圧着箇所に噴霧処理している。これにより、圧着による密着強度をより強固なものにすることができる。
【００７４】
尚、紙繊維を湿潤させて一度ほぐし、圧着により再度繊維を絡ませるためには、高温蒸気などをの噴霧を適用すればより効果が増すと推測されるが、そのような機構（メカニズム）を組込むことの難易性や複雑性、制御の難しさ、費用対投資効果などを鑑みて、本実施例では採用していない。
【００７５】
このようにして処理された機密廃棄文書の例を図２０に示す。コマンドシートのエリアで指定された部分、本実施例では、５枚毎に綴られた文書の四隅部分が接着処理されているので、容易に中の３枚の文書を閲覧することが困難になっていることがわかる。尚、圧着機（ユニット）は、円筒をノコギリ刃状に切り取って２つに分離したような形状になっており、これらの間に機密廃棄文書束を挟みこんで噛み合せることにより圧着している。
【００７６】
さらに、パッキングされた廃棄文書束において露出している部分（表面：同図（ａ）と裏面：同図（ｂ）には、ランダムドットによるマスキングが黒インキによって形成されるので、第三者に直接目に触れる部分も容易に廃棄文書の中身が判別できないようになっている。
【００７７】
（第４の実施例）
次に、第４の実施例を説明する。
【００７８】
本実施例の孔版印刷システムは、図２１のブロック図及び図２２の孔版印刷装置例に示すように、孔版印刷装置が認識可能なマーカにより、指定エリア（領域）であることを示す少なくとも１個以上の囲み線や対角線等の線画及び必要に応じ当該指定エリア内に文字・記号等で記述されたコマンド情報、が記されたエリア指定シートと呼ばれるシート状媒体であるエリア指定手段２（コマンドシート１５）と、前記コマンドシートとユーザの原稿を光学的に順次、走査することによりデジタル画像データを得る、いわゆるスキャナと呼ばれる画像入力手段３（読取りスキャナ１１０）と、前記入力された画像データがコマンドシートの読取りデータであって、当該指定エリアの位置、サイズ等のデータを抽出するとともに、当該指定エリア内にコマンドやパラメータなどの情報が存在する場合、当該コマンドシートの指定エリアに記述されたパラメータ情報を抽出・解析するコマンドシート解析手段４（孔版印刷装置の制御部２０）と、前記抽出・解析されたコマンドシート解析結果が、穿孔（パンチ）マスク処理であった場合、当該解析された結果に基づき、指定された位置に対応する機密廃棄文書へ穿孔（パンチ）マスク処理を行う穿孔（パンチ）手段１６（パンチャー６０４）と、前記抽出・解析されたコマンドシート解析結果を表示するコマンドシート解析結果表示手段１８（タッチパネル１１５）と、前記抽出・解析されたコマンドシート解析結果に基づいて、当該指定処理が実行された時の処理イメージを表示する処理イメージ表示手段１９（電子ペーパー４００）と、前記コマンドシートを利用した穿孔（パンチ）マスク処理を行うか否かの設定、当該動作や関連した処理を行うために必要なパラメータやデータなどの各種設定、などの指定を行う穿孔（パンチ）マスク処理機能指定手段１７（タッチパネル１１５）と、から構成されている（注：カッコ内は実現手段）。
【００７９】
本実施例における孔版印刷装置のタッチパネル上の設定やワークフロー処理、使用する機密廃棄文書などについては、第１の実施例とほぼ同様なので、本実施例では説明を省略する。但し、本実施例は、これまでの実施例と異なり、機密廃棄文書を束（パック）で取り扱うのではなく、毎葉処理で行う点が異なる。
【００８０】
また、当該孔版印刷装置１００には、排紙側に、穿孔（パンチ）ユニットを内蔵した後処理装置がカスケードに接続されている。接続は、印刷用紙の搬送をスムーズに行うための機械的な接続のみならず、電気的な接続も行われており、孔版印刷装置本体からの指示や設定、後処理装置からの通知、などをやり取りできるようになっている。穿孔（パンチ）ユニットは、主走査方向に可動であり、かつ、複数の穿孔が可能なロータリ型のパンチャーであり、これを副走査方向に２つ並べたものがセットされている。これにより、各ユニット毎に、主走査方向長の略半分の領域を分担することになる。
【００８１】
図２３で示したコマンドシートは、図２４に示されるような機密廃棄文書に対して、パンチマスク処理をするというワークフロー処理を示している。より詳しくは、図には、２つの指定エリアがマーカで記入されたコマンドシートが示されているが、指定エリア内に記述されている“ＷＦ”は、当該指定エリアがワークフロー処理用であることを示し、続く項目の“設定”や“処理”は、孔版印刷システムへの設定なのか孔版印刷システムによる処理（動作）なのかを示している。さらに、孔版印刷システムへの設定の場合、さらにどのような設定を行うかを指定している。
【００８２】
尚、これまで例示してきたコマンドシートのように、ｏｒｄｅｒ属性が指定されていないが、これはデフォルトで指定エリアの左上の座標について、コマンドシートを左上から右下のスキャンのなかで登場する順番で番号がつけられるためである。よって、最初に、位置の指定が設定され、引き続き、指定された位置に対するパンチマスク処理がなされることになる。また、ワークフロー処理の場合、指定エリア外については、何が記載されていても無視されるので、本実施例では、メモや備忘録として使用しており、当該コマンドシートを再利用をする際には、より効率的に行うことができる。
【００８３】
このようなコマンドシートを読取り、解析された結果は、当該孔版印刷システムのタッチパネル上に、図２５に示すような表示がなされるので、ユーザは解析された結果が、目的とするワークフロー処理となっているかどうかを確認することができる。さらに、図２６の４００Ａに示すように、外装型電子ペーパーにワークフロー、本実施例ではパンチマスク処理が実施された時の処理イメージが表示されるので、ユーザは、機密廃棄文書がどのような結果／状態になるかを容易に想像／確認することができる。
【００８４】
尚、本実施例の処理イメージの結果表示においては、機密廃棄文書をスキャンして読み出すわけではないので、機密廃棄文書は無地となっており、用紙枠とパンチ穴だけが表示されたものになっているが、ダミーの画像を追加表示するなどして、よりわかりやすい表示となるようにしてもよい。
【００８５】
このようにして、図２４に示されるような、販売実績の売上高に関する部分がパンチマスクされ、図２７に示されるように、当該部分が判読が難しい状態、実質的には不可読状態となる。
【００８６】
尚、本実施例で指定したワークフローは、パンチマスク処理のみであるため、製版や印刷の動作は全く行われず（画像形成ブロックは素通りし）、単にパンチ処理のみが行われることになる。即ち、当該孔版印刷システムは見かけ上、全体が単なる後処理装置として動作しているともいえる。
【００８７】
このような仕組みを採用することにより、機密廃棄文書に対し、適切な機密漏えい対策を施すことができる。
【００８８】
さらに、本実施例では、パンチマスク処理が実施された時の処理イメージ表示を外装型電子ペーパーによって行っているが、タブレット型端末やスレート型端末とよばれるもので行ってもよく、本実施例に限定されるものではない。
【００８９】
また、本実施例では、ロータリ式のパンチユニットを採用しているため、機密廃棄文書を毎葉処理しているが、何枚かまとめてストックしてから一度に穿孔（パンチ）できるような機構（メカニズム）を備えたパンチユニットを採用してもよく、本実施例に限定されるものではない。但し、設計要素に依存する部分が多いもしくは不確定要素の部分が多いため、どちらの穿孔（パンチ）処理のスループットが大きいなどは単純にいえるものではない。
【００９０】
ちなみに、パンチ処理部分をそのままステープル処理に置き換えた、ステープルによるマスク処理も考えられる。しかし、有針のステープルでは、その後のリサイクル処理を考慮した場合、非現実的であるものの、開口部分を生成するような無針のステープルでは、パンチマスク処理と同様の効果が期待できると推測される。
【００９１】
さて、未使用紙に画像形成を行い、その後にパンチ処理を行うというような、いわゆる通常のパンチャーの使い方をする場合、特に問題はないが、本発明にパンチ処理を適用する場合（パンチャーを使用する場合）、パンチ処理の対象が（機密）廃棄文書であるので、普通の紙以外の、例えば、特殊素材シートやフィルムコーティングされた用紙などが、混在している可能性がある。
そのため、そのような紙類が通紙あるいは検知された場合、パンチ処理をしないあるいは非常停止するような仕組み（機構）を有していればなお望ましい。
【００９２】
（第５の実施例）
次に、第５の実施例を説明する。
【００９３】
本実施例の孔版印刷システムは、図２８のブロック図に示すように、前述の実施例４の手段に、前記抽出・解析されたコマンドシート解析結果が、塗潰しマスク処理であった場合、当該解析された結果に基づき、指定されたエリアに対応する機密廃棄文書へ、ランダムパターンなどの不規則なパターン、文字あるいは記号による塗潰しを行うマスク処理を行う塗潰しマスキング手段７（印刷ドラム１０１）と、前記コマンドシートを利用した塗潰しマスク処理を行うか否かの設定、当該動作や関連した処理を行うために必要なパラメータやデータなどの各種設定、などの指定を行う塗潰しマスク処理機能指定手段２１（タッチパネル１１５）と、を加えたものから構成されている（注：カッコ内は実現手段）。
【００９４】
図２９に、本実施例で使用するコマンドシートを示すが、前実施例に加え、ランダムパターンによる塗潰しマスク処理が追加されている。
【００９５】
このコマンドシートを使用して、前実施例で示した機密廃棄文書に対して処理を施した結果が図３０である。エリアで指定された部分に、各々、パンチ処理、ランダムパターンによる塗潰しマスク処理が施されていることがわかる。
【００９６】
ここにおいて、このワークフローが実行される場合、二通りの方法が考えられる。即ち、一連の処理が施される機密廃棄文書を給紙台にセットして、給紙し、塗潰しマスク処理を行わせ、排紙台に排紙された機密廃棄文書を再び給紙台に戻し、再度給紙し、今度は穿孔（パンチ）マスク処理を行わせる、もしくは、２つの処理の順序を逆にした、バッチ処理形式と、塗潰しマスク処理と穿孔（パンチ）マスク処理を並列に動作させるようにアービトレーション（調停）し、機密廃棄文書の一度の通紙により両方の処理を完了させる同時処理形式である。
【００９７】
本実施例では、実行プログラムを同時処理形式に実装しているが、どのように実行させるかは設計項目に過ぎないため、バッチ処理形式に実装されていてもよく、本実施例に限定されるものではない。また、どちらの形式で実行可能な実装になっている場合、どちらの形式にするかをユーザが指定できるようになっていても構わない。
【００９８】
尚、本実施例で塗潰しに使用されるランダムパターンは矩形パターンであるが、意味をなさない文字列（漢字／ひらがな／カタカナ／アルファベット／記号など）であっても構わず、塗潰しに使用する文字の種類をパラメータで指定、あるいはユーザが選択できるようにするなどしてもよく、本実施例に限定されるものではない。ランダムパターンによる塗潰しで、使用される色材は、要求される特性として、不透明性を有せばよいので、それを満たすならば、黒インキのみならず、カラーインキあるいは白インキなどを用いてもよい。
【００９９】
また、本実施例では、塗潰し手段として、孔版ユニットを採用しているが、これは、インクジェットユニットを採用した場合、当該ユニットがスループットの律速になるためである。
【０１００】
しかしながら、インクジェットユニット、特にフルライン型のインクジェットを採用した場合、スループットはかなり改善されるうえ、通常は、個々のノズルのバラツキを補正するために、シェーディング補正や濃度補正などの補正処理がかけられるが、これらの補正処理をわざとかけず、逆にそのような濃度変動をノイズ成分として利用するという利用方法・効果も考えられる。
【０１０１】
また、種類属性パラメータの指定を“ランダム”（ランダムパターン）ではなく、“ベタ”とした場合、当該指定エリアは、装填されている色材でベタ塗りされることになる。これにより、機密性は向上するが、インキなどの色材の消耗が激しくなったり、ベタ部分が印刷ドラムに貼り付くなどしてペーパーハンドリングの問題が起きやすくなるため、本実施例では、“そのような指定も可能”というレベルに留めている。
【０１０２】
さらに、その応用として、色材の代りに接着剤を用いた場合、当該指定エリア部分が接着剤でべた塗りされ、結果として、排紙された機密廃棄文書が、当該部分で接着されることになるが、これについてもペーパーハンドリングの問題が大きいため、本実施例では、“そのような指定も可能”というレベルに留めている。
【０１０３】
（第６の実施例）
次に、第６の実施例を説明する。
【０１０４】
本実施例においては、実質的に前述の実施例５でなされる処理と同等な処理がなされる。但し、用いられるコマンドシートは、図３１に示されるカラーコマンドシートとなる。そして、当該カラーコマンドシートの読取りにおいては、予め、図６に例示されるメニュー画面において、「マーカ指定方法」項目において“カラーマーカ”を指定し、「詳細設定」項目の図示しないサブメニュー画面において、各カラーマーカに対応した処理が対応付けられている。
【０１０５】
本実施例においては、赤（ｒｅｄ）マーカに、パンチマスク処理、青（ｂｌｕｅ）マーカに塗潰しマスク処理、を各々割付けている。これにより、処理の種類の指定を省略することができるとともに、処理毎に色分けされるため、処理の指定が分かりやすく、かつ、指定間違いを抑止する効果が期待できる。
【０１０６】
（第７の実施例）
次に、第７の実施例を説明する。
【０１０７】
本実施例も、前述の実施例５及び実施例６の形態や処理をベースにしている。これまでの実施例は、同一機密廃棄文書ページにおいて、穿孔（パンチ）マスク処理のエリアと塗潰しマスク処理のエリアを重畳しないように適宜割付けたものであったが、本実施例では同一のエリアに重畳して割付けたものである。
【０１０８】
図３２にコマンドシート例を、図３３にマスク処理された機密廃棄文書の例を示す。図３３に示すＡの部分が重畳処理された部分であり、穿孔（パンチ）マスク処理または塗潰しマスク処理を単独で実施したものよりさらに可読性が抑制されている。このような処理により、機密廃棄文書ページにおけるマスク処理を機密度のレベルによって使い分けることができる。
【０１０９】
また、本実施例では、コマンドシートで、塗潰しマスク処理→穿孔（パンチ）マスク処理の処理順で指定しているが、逆に記述しても、やはり、塗潰しマスク処理→穿孔（パンチ）マスク処理の処理順にワークフロー解析される。これは、同時処理形式を採用しているため、処理ユニットの配置上逆の処理順にはできないためである。但し、バッチ処理形式を採用していればできないこともないが、その場合、穿孔された部分に塗潰し部分があるとプレスローラを汚してしまうので留意する必要がある。
【０１１０】
尚、本実施例では、重畳してマスク処理をするエリアのみを図示しており、単独でマスク処理をする部分が存在しないが、当然のことながら混在していても問題はなく、本実施例に限定されるものではない。
【０１１１】
（作用効果）
各実施例に開示した構成又は手段は、互いに組み合わせることができる。また、組み合わせることによって相乗効果も得られる。
上記実施例によれば、ステープル処理、圧着処理、接着剤塗布等による接着処理などの手段を含むパッキングが機密を保つべきエリアに対して行われることにより、廃棄される機密レベルの低い機密文書に対し、機密情報流出のリスクを抑えながらも、簡易で安価な難読性の処理を施すことによって、リサイクル性の高い紙資源の排出する手段を提供するという目的を達成することができる。
【０１１２】
また、第１の実施例の孔版印刷システムは、
孔版印刷装置が認識可能なマーカにより、指定エリア（領域）であることを示す少なくとも１個以上の囲み線や対角線等の線画及び必要に応じ当該指定エリア内に文字・記号等で記述されたコマンド情報、が記されたエリア指定シートと呼ばれるシート状媒体であるエリア指定手段と、
前記コマンドシートとユーザの原稿を光学的に順次、走査することによりデジタル画像データを得る、いわゆるスキャナと呼ばれる画像入力手段と、
前記入力された画像データがコマンドシートの読取りデータであって、当該指定エリアの位置、サイズ等のデータを抽出するとともに、当該指定エリア内にコマンドやパラメータなどの情報が存在する場合、当該コマンドシートの指定エリアに記述されたパラメータ情報を抽出・解析するコマンドシート解析手段と、
前記抽出・解析されたコマンドシート解析結果が、ステープルパッキング処理であった場合、予め定められた枚数毎にまとめられた機密廃棄文書に対し、前記コマンドシートにより指定された位置もしくは予め定められた封印位置に対し、無針のステープル処理もしくは紙針のような環境負荷の小さい針によるステープル処理を施して、第三者が当該パッキングされた内部の機密廃棄文書を容易に閲覧できないようにするステープル手段と、
前記コマンドシートを利用したステープルパッキング処理を行うか否かの設定、当該動作や関連した処理を行うために必要なパラメータやデータなどの各種設定、などの指定を行うステープルパッキング処理機能指定手段と、
を有しているので、
廃棄される機密レベルの低い機密文書に対し、機密情報流出のリスクを抑えながらも、簡易で安価な難読性の処理を施すことによって、リサイクル性の高い紙資源の排出する手段を提供できる。
【０１１３】
また、第２の実施例の孔版印刷システムは、
前記エリア指定手段と、
前記画像入力手段と、
前記コマンドシート解析手段と、
前記抽出・解析されたコマンドシート解析結果が、接着パッキング処理であった場合、予め定められた枚数毎にまとめられた機密廃棄文書に対し、前記コマンドシートにより指定された位置もしくは予め定められた封印位置に対し、接着剤を噴霧もしくは塗布する接着処理を施す接着手段と、
機密廃棄文書束の、前記接着手段により接着剤が噴霧もしくは塗布された部分を加圧して密着させ、第三者が当該パッキングされた内部の機密廃棄文書を容易に開封閲覧できないようにする加圧（プレス）手段と、
前記コマンドシートを利用した接着パッキング処理を行うか否かの設定、当該動作や関連した処理を行うために必要なパラメータやデータなどの各種設定、などの指定を行う接着パッキング処理機能指定手段と、
を有しているので、
廃棄される機密レベルの低い機密文書に対し、機密情報流出のリスクを抑えながらも、簡易で安価な難読性の処理を施すことによって、リサイクル性の高い紙資源の排出する手段を提供できる。
【０１１４】
また、第３の実施例の孔版印刷システムは、
前記エリア指定手段と、
前記画像入力手段と、
前記コマンドシート解析手段と、
前記抽出・解析されたコマンドシート解析結果が、圧着パッキング処理であった場合、予め定められた枚数毎にまとめられた機密廃棄文書に対し、前記コマンドシートにより指定された位置もしくは予め定められた封印位置に対し、圧着による接着処理を施して、第三者が当該パッキングされた内部の機密廃棄文書を容易に開封閲覧できないようにする圧着手段と、
前記コマンドシートを利用した圧着パッキング処理を行うか否かの設定、当該動作や関連した処理を行うために必要なパラメータやデータなどの各種設定、などの指定を行う圧着パッキング処理機能指定手段と、
を有しているので、
廃棄される機密レベルの低い機密文書に対し、機密情報流出のリスクを抑えながらも、簡易で安価な難読性の処理を施すことによって、リサイクル性の高い紙資源の排出する手段を提供できる。
【０１１５】
また、第４の実施例の孔版印刷システムは、
第３の実施例の構成に加え、さらに、
圧着パッキング処理を施す前に、予め当該圧着部分の紙繊維を湿潤させるための水もしくは当該目的の用をなす他の液体を噴霧もしくは塗布する処理を施して、より密着強度の高い圧着を行わせる湿潤手段を有しているので、
前記圧着処理をより緊密なものにすることができる。
【０１１６】
また、第５の実施例の孔版印刷システムは、
第１から第４の実施例における各種パッキング処理において、
前記パッキングされる機密廃棄文書の最上面と最下面に位置する文書に対し、黒色インキなどの不透明性のインキでランダムなパターンなどによる塗り潰し処理を施し、第三者に当該パッキングされた機密廃棄文書の露出している面の文書を容易に開封閲覧できないようにするマスキング手段を有しているので、
より情報の隠蔽性を高めたパッキング処理を提供することができる。
【０１１７】
また、第６の実施例の孔版印刷システムは、
前記エリア指定手段と、
前記画像入力手段と、
前記コマンドシート解析手段と、
前記抽出・解析されたコマンドシート解析結果が、穿孔（パンチ）マスク処理であった場合、当該解析された結果に基づき、指定された位置に対応する機密廃棄文書へ穿孔（パンチ）マスク処理を行う穿孔（パンチ）手段と、
前記コマンドシートを利用した穿孔（パンチ）マスク処理を行うか否かの設定、当該動作や関連した処理を行うために必要なパラメータやデータなどの各種設定、などの指定を行う穿孔（パンチ）マスク処理機能指定手段と、
を有しているので、
廃棄される機密レベルの低い機密文書に対し、機密情報流出のリスクを抑えながらも、簡易で安価な難読性の処理を施すことによって、リサイクル性の高い紙資源の排出する手段を提供できる。
【０１１８】
また、第７の実施例の孔版印刷システムは、
前記エリア指定手段と、
前記画像入力手段と、
前記コマンドシート解析手段と、
前記抽出・解析されたコマンドシート解析結果が、塗潰しマスク処理であった場合、当該解析された結果に基づき、指定されたエリアに対応する機密廃棄文書へ、ランダムパターンなどの不規則なパターン、文字あるいは記号による塗潰しを行うマスク処理を行う塗潰しマスク手段と、
前記コマンドシートを利用した塗潰しマスク処理を行うか否かの設定、当該動作や関連した処理を行うために必要なパラメータやデータなどの各種設定、などの指定を行う塗潰しマスク処理機能指定手段と、
を有しているので、
廃棄される機密レベルの低い機密文書に対し、機密情報流出のリスクを抑えながらも、簡易で安価な難読性の処理を施すことによって、リサイクル性の高い紙資源の排出する手段を提供できる。
【０１１９】
また、第６、第７の実施例においては、
前記機密廃棄文書への穿孔（パンチ）マスク処理と塗潰しマスク処理を、同一機密文書内において、併用すること、もしくは、
当該文書の構成要素の機密レベルに応じて、あるいは、ユーザの指定に応じて、適宜使い分けること、を開示している。
この開示された構成によれば、情報流出のリスクと情報流出の防止処理とのバランスをとったより柔軟な情報隠蔽処理を適用することができる。
【０１２０】
また、第１ないし第７の実施例においては、
前記抽出・解析されたコマンドシート解析結果を表示する表示手段、もしくは、
前記抽出・解析されたコマンドシート解析結果に基づいて、当該指定処理が実行された時の処理イメージを表示する表示手段、
の少なくともいずれかを有し、当該コマンドシートによるワークフローを実行する前に、当該表示手段により、ユーザに当該ワークフローの流れや処理のイメージを提示することを開示している。
この開示された構成によれば、不適切なワークフローの実行や意図しない処理結果の実行を抑制したり、実行のやり直しなどの無駄を省くことができる。
【符号の説明】
【０１２１】
１    孔版印刷システム
２    エリア指定手段
３    画像入力手段
４    コマンドシート解析手段
５    ステープル手段
６    ステープルパッキング処理機能指定手段
７    マスキング手段
８    制御手段
９    接着手段
１０    加圧（プレス）手段
１１    接着パッキング処理機能指定手段
１２    圧着手段
１３    湿潤手段
１４    圧着パッキング処理機能指定手段
１５    コマンドシート
１６    穿孔（パンチ）手段
１７    穿孔（パンチ）マスク処理機能指定手段
１８    コマンドシート解析結果表示手段
１９    処理イメージ表示手段
２０    制御部
２１    塗潰しマスク処理機能指定手段
１００    孔版印刷装置
１０１    印刷ドラム
１０２    プレスローラ
１０３    製版部（プロッタ）
１０４    排版部
１０５    給紙手段
１０６    記録紙
１０７    製版・巻装されたマスタ
１０８    搬送手段
１０９    排紙手段
１１０    画像読取り部（スキャナ）
１１１    操作部（操作パネル）
１１２    テンキー
１１３    印刷／製版切替えキー
１１４    スタートキー
１１５    タッチパネル
１１６    初期設定／プリンタ設定キー
１１７    印刷位置調整キー
１１８    プリントスピード設定キー
１１９    マスタロール（感熱孔版フィルム）
１２０    インキパック（インキ供給手段）
１２１    切替え部材
１２２    再給紙手段
１５０    インクジェットユニット
１５１    インクジェットインターフェース
２００    ＡＣＵ
２０１    ＳＤカード
２０２    ＮＩＣ
２０３    ＵＳＢメモリ
２０４    ＲＴＣ（Ｒｅａｌ−Ｔｉｍｅ  Ｃｌｏｃｋ）
２０５    操作パネル  インターフェース
２０６    ＳＤカード  インターフェース
２０７    ＨＤＤ
２０８    ＨＤＤ  インターフェース
２０９    ＵＳＢ  インターフェース
２１２    ＮＩＣ  インターフェース
２１３    無線ＬＡＮカード
２１４    無線ＬＡＮ  インターフェース
２１５    ＥＣＵ  インターフェース
２１６    ＣＰＵ
２１７    ＲＡＭ
２１８    ＲＯＭ（フラッシュＲＯＭ）
２２０    ＡＳＩＣ
２２１    Ｉ／Ｏ  インターフェース
２２２    ＦＡＸ  インターフェース
３００    ＥＣＵ
３２１    ＣＰＵ
３２２    ＲＡＭ
３２３    ＲＯＭ
３２４    ＡＣＵ  インターフェース
３２５    ＩＰＰ（Ｉｍａｇｅ  Ｐｒｅ−Ｐｒｏｃｅｓｓｏｒ）
３２６    スキャナ  インターフェース
３２８    プロッタ  インターフェース
３２９    ＡＳＩＣ
４００    電子ペーパー
６００    後処理装置
６０１    無針ステープラ
６０２    加圧（プレス）機
６０３    圧着機
６０４    多孔パンチャー
【先行技術文献】
【特許文献】
【０１２２】
【特許文献１】特開２０１０−０１８４３８号公報
【特許文献２】特開２００２−２７３７０５号公報
【特許文献３】特開２０１１−０６２８１９号公報
【図１】
2015085542.tif 000003
【図２】
2015085542.tif 000004
【図３】
2015085542.tif 000005
【図４】
2015085542.tif 000006
【図５】
2015085542.tif 000007
【図６】
2015085542.tif 000008
【図７】
2015085542.tif 000009
【図８】
2015085542.tif 000010
【図９】
2015085542.tif 000011
【図１０】
2015085542.tif 000012
【図１１】
2015085542.tif 000013
【図１２】
2015085542.tif 000014
【図１３】
2015085542.tif 000015
【図１４】
2015085542.tif 000016
【図１５】
2015085542.tif 000017
【図１６】
2015085542.tif 000018
【図１７】
2015085542.tif 000019
【図１８】
2015085542.tif 000020
【図１９】
2015085542.tif 000021
【図２０】
2015085542.tif 000022
【図２１】
2015085542.tif 000023
【図２２】
2015085542.tif 000024
【図２３】
2015085542.tif 000025
【図２４】
2015085542.tif 000026
【図２５】
2015085542.tif 000027
【図２６】
2015085542.tif 000028
【図２７】
2015085542.tif 000029
【図２８】
2015085542.tif 000030
【図２９】
2015085542.tif 000031
【図３０】
2015085542.tif 000032
【図３１】
2015085542.tif 000033
【図３２】
2015085542.tif 000034
【図３３】
2015085542.tif 000035